(57)【要約】      （修正有）【課題】複数の収納部を備え、各収納部に被収納体が収納し易く、且つ取出し易いインナーバッグの提供。【解決手段】インナーバッグ本体４が、一方本体生地８および他方本体生地９の間に、矩形四辺縁のうちの残りの一辺縁どうしの間を第一収納口部２７とした第一収納部７が形成され、一方本体生地８および他方本体生地９のうちの少なくとも片方の本体生地に厚み方向で重ねられ、重ねた一方本体生地８のみと、インナーバッグ本体４の深さ方向に沿う複数の縫着部によって縫着されてなる一方付設対向生地１０が設けられ、複数の縫着部により画定される領域であって、一方本体生地８および一方付設対向生地１０の間に、第一収納口部２７と厚み方向で隣合った第二収納口部を有する第二収納部が形成されている。【選択図】図４
2017143952.tif 000002
【特許請求の範囲】
【請求項１】
矩形板状の芯材および矩形状の伸縮性生地を備え、前記芯材および伸縮性生地の四辺縁のうちの三辺縁どうしが縫着されてなり、
前記芯材および伸縮性生地の間に被収納体を収納するための複数の収納部が形成されるよう、前記芯材および伸縮性生地の四辺縁のうちの残りの一辺縁においてその一部どうしを縫着した縫着部を備え、該一辺縁どうしの間に前記被収納体の収納口部が形成されたことを特徴とするインナーバッグ。
【請求項２】
前記芯材は、平板状の主板体と、該主板体を覆うカバー生地とを備え、前記縫着部は、前記伸縮性生地およびカバー生地を縫着してなる請求項１記載のインナーバッグ。
【請求項３】
前記縫着部は、前記一辺縁から前記被収納体の出入方向に沿って形成され、
前記縫着部では、前記収納口部に対応する出入方向の所定領域では、前記伸縮性生地、前記主板体、および前記カバー生地が縫着されており、前記所定領域より深い領域部分では、前記伸縮性生地と前記カバー生地とが縫着されてなる請求項２記載のインナーバッグ。
【発明の詳細な説明】
【技術分野】
【０００１】
本発明は、アウターバッグの中に収納して使用することが可能なインナーバッグに関する。
【背景技術】
【０００２】
従来、下記特許文献１に記載のインナーバッグが提案されている。特許文献１のインナーバッグは、インナーバッグ本体の内側に、ノート型パソコン等の被収納体を収納できる一つの収納部を備えている。しかしながら、近年では、スマートフォン等、多種のモバイル機器が用いられるようになり、これらを被収納体としてインナーバッグに収納するためには、収納部が一つでは不便になってきている。
【先行技術文献】
【特許文献】
【０００３】
【特許文献１】特開２００３−２６５２１９号公報
【発明の概要】
【発明が解決しようとする課題】
【０００４】
上記のような問題を解決するためには、インナーバッグに、前記収納部とは別の収納部を併せもたせることが考えられる。その際、この種の、アウターバッグの中に収納して使用することが可能なインナーバッグでは、被収納体の収納のし易さ、および取出し易さが懸念される。
【０００５】
そこで本発明は、複数の収納部を備え、各収納部に被収納体が収納し易く、且つ取出し易いインナーバッグの提供を課題とする。
【課題を解決するための手段】
【０００６】
本発明のインナーバッグは、矩形板状の芯材および矩形状の伸縮性生地を備え、前記芯材および伸縮性生地の四辺縁のうちの三辺縁どうしが縫着されてなり、前記芯材および伸縮性生地の間に被収納体を収納するための複数の収納部が形成されるよう、前記芯材および伸縮性生地の四辺縁のうちの残りの一辺縁においてその一部どうしを縫着した縫着部を備え、該一辺縁どうしの間に前記被収納体の収納口部が形成されたことを特徴としている。
【０００７】
上記構成を有する本発明のインナーバッグでは、芯材および伸縮性生地の一辺縁の一部どうしを縫着した縫着部によって複数の収納口部を形成して、芯材および伸縮性生地の間に複数の収納部が形成されているから、インナーバッグの各収納部に被収納体を収納することができ、インナーバッグをその一辺縁を上にしてアウターバッグに収納することで、収納口部は、インナーバッグの上端に位置するため、収納部に対し収納口部から被収納体を収納し易く、且つ収納口部から被収納体を取出し易い。
【０００８】
本発明のインナーバッグでは、前記芯材は、平板状の主板体と、該主板体を覆うカバー生地とを備え、前記縫着部は、前記伸縮性生地およびカバー生地を縫着してなる構成を採用できる。
【０００９】
上記構成のインナーバッグによれば、収納口部から被収納体を収納部に収納するために伸縮性生地が伸長しても、縫着部は伸縮性生地およびカバー生地を縫着してなることで、被収納体の厚みに応じて伸縮性生地を伸ばして被収納体を収納部に収納できる。
【００１０】
本発明のインナーバッグでは、前記縫着部は、前記一辺縁から前記被収納体の出入方向に沿って形成され、前記縫着部では、前記収納口部に対応する出入方向の所定領域では、前記伸縮性生地、前記主板体、および前記カバー生地が縫着されており、前記所定領域より深い領域部分では、前記伸縮性生地と前記カバー生地とが縫着されてなる構成を採用できる。
【００１１】
上記構成のインナーバッグによれば、収納口部に対応する出入方向の所定領域では、縫着部によって伸縮性生地、主板体、およびカバー生地が一体化されているから、複数の収納部が隣合っている構成において、被収納体を一つの収納口部から収納部に収納するために収納口部における伸縮性生地の伸縮力に抗してこれを伸ばしても、隣合う収納口部に影響がない。
【発明の効果】
【００１２】
本発明のインナーバッグによれば、複数の収納部を備えているから、被収納体ごとに異なる収納部を選択して収納することができ、アウターバッグに、インナーバッグをその一辺縁を上にして収納することで、各収納口部はインナーバッグの上端に位置するため、各収納部に対し、各収納口部から被収納体を収納し易く、且つ各収納口部から被収納体が取出し易い。
【図面の簡単な説明】
【００１３】
【図１】本発明の第一の実施形態に係るインナーバッグをアウターバッグに収納する状態の斜視図である。
【図２】同インナーバッグを単独で用いる場合の斜視図である。
【図３】同インナーバッグの側面図である。
【図４】同図３におけるＡ−Ａ線断面矢視図である。
【図５】本発明の第二の実施形態に係るインナーバッグの側面図である。
【発明を実施するための形態】
【００１４】
以下、本発明の第一の実施形態に係るインナーバッグを、図面を参照しつつ説明する。図１に示すように、インナーバッグ１は厚み方向に扁平であるから、アウターバッグ２の収納部３に収納して使用することができる。また、図２に示すように、インナーバッグ１はアウターバッグ２に収納することなく単独で使用することもできる。
【００１５】
図３に示すように、インナーバッグ１は、インナーバッグ本体４と、図４に示すように、インナーバッグ本体４の内側に配置された主板体である保形板５と、保形板５の全体を覆うカバー生地６と、第一収納部７と、第二収納部（後述する一つの大収納部３０、一つの中収納部３１、二つの小収納部３２，３３）とを備え、全体として扁平な厚みに形成されている。
【００１６】
インナーバッグ本体４は、その厚み方向で対向する同面積の矩形状の一方本体生地８、および他方本体生地９を備える。一方本体生地８および他方本体生地９は、ともに伸縮性を有した厚手の生地、この場合ジャージー編みされたジャージー生地を用いて形成されている。本実施形態では、一方本体生地８および他方本体生地９は、Ａ４サイズに対応する形状および大きさに形成されている。
【００１７】
保形板５およびカバー生地６は、芯材に相当する。保形板５はインナーバッグ本体４の変形を抑制する部材である。保形板５は、一方本体生地８、および他方本体生地９に対応した形状、および大きさである矩形状に形成されている。保形板５は可撓性に富む一方で、硬質な合成樹脂により形成されている。保形板５は、カバー生地６に全体を覆われた状態で、一方本体生地８および他方本体生地９の間に配置されている。
【００１８】
カバー生地６は矩形の袋状に形成され、伸縮性を有する。ここでは、カバー生地６のうち、一方本体生地８の内面に対向する生地部分を、一方付設対向生地１０と称し、他方本体生地９の内面に対向する生地部分を、他方付設対向生地１１と称する。カバー生地６のうち、他方本体生地９側の内面には、ウレタン材等の緩衝材１２が一面に施されて、他方付設対向生地１１に複数箇所で縫着されている。
【００１９】
一方本体生地８、他方本体生地９、およびカバー生地６において、矩形四辺縁のうちの三辺縁どうしが縫着されて、インナーバッグ本体４とカバー生地６とが一体化されている。具体的に、三辺縁は、インナーバッグ本体４の底に相当する部分であって前後方向沿う底縁、インナーバッグ本体４の前後方向前端に相当する部分であって、深さ方向（インナーバッグ本体４の上下方向）に沿う前縁、インナーバッグ本体４の後端に相当する部分であって、深さ方向に沿う後縁である。
【００２０】
換言すれば、一方本体生地８、他方本体生地９、およびカバー生地６において、矩形四辺縁のうちの残りの一辺縁であって、インナーバッグ本体４の上端に相当する部分で前後方向に沿う上縁では、縫着されていない。なお、前縁、後縁、底縁での縫着部を第一縫着部１５と称する。
【００２１】
インナーバッグ１は、一方本体生地８と一方付設対向生地１０、あるいは一方本体生地８、一方付設対向生地１０、および保形板５を縫着した第二縫着部を備えている。本実施形態では、第二縫着部は、三箇所に設けられている。すなわち第二縫着部は、前後方向中心位置に設けられた長縫着部１６と、長縫着部１６および前縁の間の前後方向中心位置に設けられた中縫着部１７と、中縫着部１７と前縁の間の前後方向中心位置に設けられた短着部１８とを備えている。
【００２２】
第二縫着部は、前縁および後縁と平行である。すなわち第二縫着部は、被収納体を出し入れする方向と平行に形成されている。長縫着部１６はインナーバッグ本体４の深さ方向全域に亘り、中縫着部１７は一方本体生地８の一辺縁からインナーバッグ本体４の深さ方向半分に亘り、短着部１８は一方本体生地８の一辺縁からインナーバッグ本体４の深さ方向四分の一（中縫着部１７の半分）に亘る。
【００２３】
各第二縫着部は、前記した位置および長さで一方本体生地８および一方付設対向生地１０を縫着し、且つ各第二縫着部は、一辺縁寄りの領域部分では、一方本体生地８および一方付設対向生地１０に加えて、保形板５にも亘るよう縫着されてなる。この構成によって、一方本体生地８と芯材（一方付設対向生地１０）との間に複数の収納部が形成されるよう、複数の収納口部が形成されている。本実施形態では、収納口部は、一方本体生地８と芯材との間に四つ設けられている。
【００２４】
第二縫着部は、インナーバッグ本体４の前後方向長さに対して、およびインナーバッグ本体４の深さ方向長さに対して所定の規則をもって設けられている。本実施形態では、第二縫着部は、インナーバッグ本体４の前後方向長さに対し、公比を二分の一とする等比数列で表わされる位置に配置される。また、第二縫着部は、インナーバッグ本体４の深さ方向長さに対し、公比を二分の一とする等比数列で表わされる長さに形成される。
【００２５】
インナーバッグ１は、第三縫着部２０をさらに備える。第三縫着部２０は、一方本体生地８および一方付設対向生地１０を、前後方向に沿って縫着することで、一方本体生地８および一方付設対向生地１０を一体化させている。第三縫着部２０は、一辺縁と、底縁と、長縫着部１６と、前縁で囲繞される領域内に設けられている。本実施形態では、第三縫着部２０は一箇所に設けられている。すなわち、第三縫着部２０は、深さ方向では一辺縁と底縁との中間位置にあって、長縫着部１６から一方の第一縫着部１５に至るよう前後方向に沿って形成されている。
【００２６】
図３では、一辺縁、底縁、長縫着部１６、および前縁で囲繞される領域前記領域内に、前後方向に沿う二つの縫目が、第三縫着部２０とは別に形成されている。しかしながら、これら二箇所に形成した縫目は、デザインの優位性に寄与する装飾であり、一方本体生地８にのみ施されて、一方本体生地８と一方付設対向生地１０とを一体化する構成ではない。
【００２７】
縫目のうちの一つである第一縫目２１は、前後方向には中縫着部１７と前縁とに亘り、且つ深さ方向では、一辺縁と第三縫着部２０との中間に位置している。縫目のうちのいま一つの第二縫目２２は、前後方向には短着部１８と前縁とに亘り、且つ深さ方向では、一辺縁と第一縫目２１との中間に位置している。
【００２８】
このように、インナーバッグ１は、一方本体生地８側から観察した場合、複数の縫着部、および複数の縫目により、幾何学的外観による美観を想起させ得るとなっている。
【００２９】
一方本体生地８には、複数箇所に、長手方向に沿う切込が形成されている。本実施形態では、切込は第一切込２３と、第二切込２４とを備える。第一切込２３および第二切込２４は、それぞれ一方本体生地８を貫通する一条の切込である。
【００３０】
第一切込２３は、深さ方向では、底縁と、第三縫着部２０との間で第三縫着部２０寄りに配置されている。第一切込２３は、前後方向では、長縫着部１６と、前縁とで囲繞される領域内にある。第一切込２３は、長縫着部１６と前縁とには至らない長さに形成されている。第一切込２３は、一方本体生地８において、底縁、第三縫着部２０、長縫着部１６、および前縁で縫着されている領域内にあるから、この領域内の一方本体生地８において、特に、第一切込２３と第三縫着部２０との間の領域部分は、被収納体の一部を覆うことが可能な被覆部２５として用いることが可能である。
【００３１】
第二切込２４は、第三縫着部２０と、第一縫目２１と、中縫着部１７と、前縁とで囲繞される領域内にあって、第一縫目２１寄りで、且つ中縫着部１７との間に形成されている。第二切込２４は、中縫着部１７と前縁とには至らない長さに形成されている。第二切込２４は、一方本体生地８において、第三縫着部２０、第一縫目２１、中縫着部１７、および前縁で囲繞された領域内にあるから、この領域内の一方本体生地８において、特に、第二切込２４と第一縫目２１との間の領域部分は、被収納体の一部を覆うことが可能な被覆部２６として用いることが可能である。
【００３２】
以上の構成により、本実施形態のインナーバッグ１は、一つの第一収納部７と、複数の第二収納部と、複数の第三収納部とを備える。第一収納部７は、他方本体生地９とカバー生地６のうち、他方本体生地９側の矩形生地である他方付設対向生地１１と、底縁、前縁、および後縁（第一縫着部１５）と、一辺縁とで囲繞される領域である。他方本体生地９の一辺縁と、他方付設対向生地１１の一辺縁との間が、被収納体を第一収納部７に収納するための第一収納口部２７である。
【００３３】
各第二収納部は、第一収納部７に対し、芯材を介して厚み方向に隣合って配置されている。第二収納部どうしは、前後方向に隣合って配置されている。第二収納部は、一方本体生地８と一方付設対向生地１０との間の領域にあり、且つ一方付設対向生地１０の一辺縁と一方本体生地８の一辺縁との間を、第二収納口部としている収納部である。複数の第二収納部は、それぞれ別個の第二収納口部を有する。
【００３４】
具体的に、図３に示すように、第二収納部は、一つの大収納部３０と、一つの中収納部３１と、二つの小収納部３２，３３とを備える。大収納部３０は、底縁と、一辺縁と、後縁と、長縫着部１６とで囲繞される領域に対応した収納部である。大収納部３０の一辺縁側が、第二収納口部のうちの大収納口部３５である。
【００３５】
中収納部３１は、第三縫着部２０と、長縫着部１６と、一辺縁と、中縫着部１７とで囲繞される領域に対応した収納部である。中収納部３１の一辺縁側が、第二収納口部のうちの中収納口部３６である。
【００３６】
小収納部３２，３３は、第一縫目２１、中縫着部１７、一辺縁、および前縁で囲繞される領域に対応した収納部であり、前後方向中間位置において、短着部１８によって前後方向で二分することで、前後方向に隣合って配置されている。各小収納部３２，３３の一辺縁側が、第二収納口部のうちの小収納口部３７，３８である。
【００３７】
第三収納部は、第二収納部と同様に、一方本体生地８と一方付設対向生地１０との間の領域にある。第三収納部は、下収納部４０と上収納部４１とを備え、下収納部４０と上収納部４１とは上下方向で隣合っている。また、第三収納部は、第一収納部７と厚み方向で隣合っている。
【００３８】
下収納部４０および上収納部４１は、第二収納口部を収納口部とするものではなく、それぞれ第一切込２３、第二切込２４が収納口部とされている。下収納部４０は、底縁、長縫着部１６、第三縫着部２０、および前縁で囲繞される領域に対応した収納部である。上収納部４１は、第三縫着部２０、中縫着部１７、および前縁で囲繞される領域に対応した収納部である。但し、第一縫目２１は一方本体生地８にのみ施されて、一方本体生地８と一方付設対向生地１０とを一体化する構成ではないため、上収納部４１は、上下方向で小収納部３２，３３に連通している。
【００３９】
なお、インナーバッグ１は把手４２，４２を備える。把手４２，４２は、他方本体生地９と、芯材にそれぞれ縫着されている。
【００４０】
本実施形態におけるインナーバッグ１に収納可能な被収納体として、例えば、第一収納部７にしっくり収納される物として、ノート型パソコンＳ１が挙げられる。他方本体生地９は伸縮性を有する厚手の生地であり、カバー生地６のうち、他方付設対向生地１１の内面には、ウレタン材等の緩衝材１２が一面に施されている。このため、特に、第一収納部７に収納された被収納体は、インナーバッグ１の持ち運び中の衝突や衝撃から保護される。
【００４１】
第二収納部に収納される物として、ＩＣレコーダＳ２、スマートフォンＳ３、筆記具Ｓ４等が考えられる（何れも図２参照）。第一収納部７、第二収納部の複数の収納部である大収納部３０、中収納部３１、小収納部３２，３３の何れにも被収納体を収納することができるので使い勝手がよい。しかも、被収納体を各収納部に収納する際に、第一収納口部２７、大収納口部３５、中収納口部３６、小収納口部３７，３８は、インナーバッグ本体４の一辺縁である上端にあるから、被収納体を収納し易い。
【００４２】
また、インナーバッグ１をアウターバッグ２の収納部３に収納して持ち運んでも、収納口部はインナーバッグ本体４の一辺縁である上端にあるから、インナーバッグ１をアウターバッグ２の収納部３に収納した状態であっても、被収納体を取出し易い。インナーバッグ本体４は伸縮性生地により構成されているものの、内部に保形板５を備えて、保形板５と伸縮性生地（一方本体生地８）とは一体化されている。このため、インナーバッグ本体４が保形されるから、この点においても、被収納体の収納や取出しがし易い。
【００４３】
被収納体を収納口部から収納部に収納する場合や取出す場合、一方本体生地８、あるいは他方本体生地９の伸縮性と、カバー生地６の伸縮性を利用して、被収納体の厚みに応じてこれら伸縮性生地を伸ばして被収納体を各収納部に収納できる。
【００４４】
インナーバッグ１では、各収納口部に対応する出入方向の所定領域では、一方本体生地８、保形板５、およびカバー生地６が第二縫着部により一体化されている。このため、大収納部３０、中収納部３１、小収納部３２，３３が隣合っている構成において、被収納体を一つの収納口部から収納部に収納するために収納口部において、一方本体生地８の伸縮力に抗してこれを伸ばしても、隣合う収納口部に影響がない。
【００４５】
このように、インナーバッグ１は、インナーバッグ本体４が、一方本体生地８および他方本体生地９の間に、矩形四辺縁のうちの残りの一辺縁どうしの間を第一収納口部２７とした第一収納部７が形成され、一方本体生地８および他方本体生地９のうちの少なくとも片方の本体生地に厚み方向で重ねられ、重ねた一方本体生地８のみと、インナーバッグ本体４の深さ方向に沿う複数の縫着部によって縫着されてなる一方付設対向生地１０が設けられ、複数の縫着部により画定される領域であって、一方本体生地８および一方付設対向生地１０の間に、第一収納口部２７と厚み方向で隣合った第二収納口部を有する第二収納部が形成されている。
【００４６】
本発明は、上記実施形態に限られるものではなく、本発明の主旨を逸脱しない範囲で種々変形が可能である。その他、各部の具体的構成についても同様である。
【００４７】
図５は、インナーバッグ１の第二の実施形態を表している。図５に示すインナーバッグ１は、第一の実施形態のインナーバッグ１に対して前後方向の長さが略半分に形成されている。すなわち、第二の実施形態におけるインナーバッグ１は、大収納部３０を備えない。他の構成は第一の実施形態と同様であるので、同様の機能を有する構成部分については同一の符合を付して、その説明を繰返さない。
【００４８】
上記各実施形態では、第一収納部７は一つとしたが、第一収納部７を、第二収納部と同様に複数の収納部から構成することもできる。
【００４９】
上記各実施形態では、双方の本体生地は伸縮性を有したが、一方のみ（第二収納部を設ける側の本体生地）のみが伸縮性を有していてもよい。
【００５０】
保形板５を設ける代わりに、一方の本体生地を伸縮性に富んだ生地として、他方を伸縮性に乏しい硬質の生地として保形性を維持させ、一方の本体生地を伸ばすようにして被収納体を収納部に収納することもできる。
【００５１】
インナーバッグは、複数の収納部を備えていて上端に収納口部があれば、各収納部は扁平でなく、収納部を所定の厚みとする襠を備えていてもよい。
【００５２】
第二縫着部の公比としては、第二収納部が被収納体を収納可能な大きさとなるのであれば、二分の一に限定されず、例えば三分の一であってもよいし、五分の三であってもよい。
【符号の説明】
【００５３】
１…インナーバッグ、２…アウターバッグ、４…インナーバッグ本体、５…保形板、６…カバー生地、７…第一収納部、８…一方本体生地、９…他方本体生地、１０…一方付設対向生地、１１…他方付設対向生地、１２…緩衝材、１５…第一縫着部、１６…長縫着部、１７…中縫着部、１８…短着部、２０…第三縫着部、２１…第一縫目、２２…第二縫目、２３…第一切込、２４…第二切込、２５，２６…被覆部、２７…第一収納口部、３０…大収納部、３１…中収納部、３２，３３…小収納部、３５…大収納口部、３６…中収納口部、３７，３８…小収納口部、４０…下収納部、４１…上収納部
【図１】
2017143952.tif 000003
【図２】
2017143952.tif 000004
【図３】
2017143952.tif 000005
【図４】
2017143952.tif 000006
【図５】
2017143952.tif 000007